(57)【要約】【課題】センサとソフト処理の組み合わせにより、正確に原稿の置き忘れを検知することができる原稿読取装置を提供する。【解決手段】フラットベッドへの原稿の載置を検知するＦＢＳセンサＳ１と、所定時間を計時するタイマ計時手段１０ａと、上記ＦＢＳセンサＳ１が原稿を検知してから、上記所定時間内に操作キー８０ａを使用して所定のオペレーション動作が実行されないときには、上記原稿が残留しているとみなして、アラームを出力させる原稿残留判断手段とを備える。【選択図】図３
2005134424.tif 000002
【特許請求の範囲】
【請求項１】
フラットベッドを備える原稿読取装置において、
上記フラットベッドへの原稿の載置を検知するＦＢＳセンサと、所定時間を計時するタイマ計時手段と、上記ＦＢＳセンサが原稿を検知してから、上記所定時間内に操作キーを使用して所定のオペレーション動作が実行されないときには、上記原稿が残留しているとみなして、アラームを出力させる原稿残留判断手段とを備える原稿読取装置。
【請求項２】
請求項１において、
上記原稿残留判別手段は、上記キー操作によって所定のオペレーション動作が実行された後には、上記ＦＢＳセンサが原稿を検知したときから上記タイマ計時手段が更に設定した所定時間が経過するまでの間に、上記ＦＢＳセンサが原稿なしを検知しない場合に、上記原稿が残留しているとみなして、アラームを出力させる動作をなすことを特徴とした原稿読取装置。
【請求項３】
請求項１又は請求項２において、
上記フラットベッドには、原稿蓋の開閉を検知する原稿蓋開閉検出センサが更に設けられており、上記タイマ計時手段が所定時間を経過するまでの間に、上記原稿蓋開閉検出センサが開もしくは閉を検出し、上記ＦＢＳセンサが原稿検知なしを判別したときには、動作を終了させることを特徴とした原稿読取装置。
【発明の詳細な説明】
【技術分野】
【０００１】
本発明は、フラットベットスキャナ（以下、ＦＢＳと言う）式の原稿読取部を備えた原稿読取装置に係り、更に詳しくは原稿台上への原稿の置き忘れを防止する機能を備えた原稿読取装置に関する。
【背景技術】
【０００２】
上記ＦＢＳ式の原稿読取部は、原稿台上に原稿を置き、スキャナを走査させることによって原稿画像を読み取るものである。このとき原稿台に載置した原稿は、原稿蓋によって閉じられ、ユーザからは原稿が見えない状態となってしまうため、急いでいる時など、排出された記録紙に気を取られる等して、原稿台上に原稿を置き忘れてしまうことがしばしばある。そこで従来より、このような不都合を解決するため、原稿の置き忘れを防止するための手段が種々考案されている。
【０００３】
例えば、原稿読取終了後に原稿蓋の開閉が検出されないと原稿を置き忘れているとみなして警告を発するものがある（特許文献１）。
【特許文献１】特開平８−２３４３３１号公報
【発明の開示】
【発明が解決しようとする課題】
【０００４】
しかしながら、このような従来の装置においては、原稿の置き忘れは原稿読取終了後に起こり、原稿蓋を閉じてコピー動作をするということが前提として構成されているため、原稿読取する前の置き忘れや原稿蓋を開けたままでコピー動作を行った場合は、原稿の置き忘れを検知することができない構成となっていた。
【０００５】
また、原稿の有無をみていないので、原稿を載置せずに読取を行ってしまった場合でも原稿を置き忘れているとみなすので、検知の正確性に欠けている。
【０００６】
本発明は、このような事情に鑑みてなされたものであり、簡単な構造でありながら、より正確に原稿の置き忘れを検知することができる原稿読取装置を提供することを目的としている。
【課題を解決するための手段】
【０００７】
上記目的を達成するために提案される請求項１は、フラットベッドを備える原稿読取装置において、上記フラットベッドへの原稿の載置を検知するＦＢＳセンサと、所定時間を計時するタイマ計時手段と、上記ＦＢＳセンサが原稿を検知してから、上記所定時間内に操作キーを使用して所定のオペレーション動作が実行されないときには、上記原稿が残留しているとみなして、アラームを出力させる原稿残留判断手段とを備えている。
【０００８】
請求項２は、請求項１において、上記原稿残留判別手段は、上記キー操作によって所定のオペレーション動作が実行された後には、上記ＦＢＳセンサが原稿を検知したときから上記タイマ計時手段が更に設定した所定時間が経過するまでの間に、上記ＦＢＳセンサが原稿なしを検知しない場合に、上記原稿が残留しているとみなして、アラームを出力させる動作をなすことを特徴とする。
【０００９】
請求項３は、請求項１又は請求項２において、上記フラットベッドには、原稿蓋の開閉を検知する原稿蓋開閉検出センサが更に設けられており、上記タイマ計時手段が所定時間を経過するまでの間に、上記原稿蓋開閉検出センサが開もしくは閉を検出し、上記ＦＢＳセンサが原稿検知なしを判別したときには、動作を終了させることを特徴とする。
【発明の効果】
【００１０】
請求項１に記載の発明によれば、センサとソフト処理の組み合わせにより、正確に原稿の置き忘れを検知でき、原稿の置き忘れを防止できる。また、原稿読取前や原稿蓋を開けたままコピー動作した場合にも、原稿の置き忘れを検知することができる。
【００１１】
請求項２に記載の発明によれば、センサとソフト処理の組み合わせにより、正確に原稿読取終了後の原稿の置き忘れを検知でき、原稿の置き忘れを防止できる。また、原稿蓋を開けたまま、コピー動作した場合にも、原稿の置き忘れを検知することができる。
【００１２】
請求項３に記載の発明によれば、センサとソフト処理の組み合わせにより、正確に原稿が取り除かれたことを検知できる。
【発明を実施するための最良の形態】
【００１３】
以下に、本発明の実施の形態について説明する。
【実施例１】
【００１４】
図１は、本発明の原稿読取装置Ｆの一例である。ここでは、原稿読取装置Fの一例としてＦＢＳ式のみの原稿読取部を備えた装置の構成を示しているが、自動原稿送り装置（ＡＤＦ）の機能を備えているものでもよく、本発明の報知機能はフラットベッドスキャナ（ＦＢＳ）により、原稿を読み取る場合に適用されるものである。
【００１５】
図１は原稿読取装置Ｆの概略正面図である。１は上面がガラス板から成る原稿台１ａとされた原稿読取部本体、Ａは原稿台１ａ上に置かれた原稿を押圧すべく原稿読取部本体１の側辺に開閉自在に取付けられた原稿蓋、Ｓ３は蛍光灯等による光源（不図示）とＣＣＤ（不図示）とをユニット化した走査体である。また、Ｓ１は原稿台１ａ上の原稿有無を検出するＦＢＳセンサ、Ｓ２は原稿蓋Ａの開閉状態を検出する原稿蓋開閉検出センサである。
【００１６】
上記走査体Ｓ３は、光源からの光を原稿に照射し、その反射光をＣＣＤに受光させて電気信号としての画情報に変換するものである。原稿台１ａ上に置かれたＦＢＳ原稿Ｄを走査する場合、走査体Ｓ３は、待機位置Ｐ１からＰ２位置へ原稿台１ａの下面を平行に走行し、その間原稿Ｄの画情報を読み取る。
【００１７】
ＦＢＳセンサＳ１は、原稿台１ａの側部等に設置されるもので、反射式、受光式或いはリミットスイッチ等公知のセンサが採用される。また、上記走査体Ｓを原稿台１ａに沿って走行させ、この走査情報によって原稿有無を検出することで代用させることも可能である。
【００１８】
原稿蓋開閉検出センサＳ２は、図のように原稿読取部本体１側に設けてもよいし、原稿蓋Ａ側に設けてもよく、原稿蓋Ａの閉止方向、開放方向を認識する構成でもよいし、受光素子を組み込んで、光の受光量で原稿蓋Ａの開閉を検知する構成でもよい。
【００１９】
図２は、本発明の原稿読取装置Ｆの内部構成を示すブロック図である。なお、ここでは、原稿読取装置Ｆとしてファクシミリ通信機能を備えたものを示しているが、本発明はこれには限られず、コピー機能のみ備えたものとすることもでき、いずれも、フラットベッドスキャナ（ＦＢＳ）により、原稿を読み取る場合に適用されるものである。
【００２０】
この原稿読取装置Ｆにおいて、１０はＣＰＵで構成され、各部を制御する制御部、２０は電話回線Ｌにダイヤル信号を送出し、電話回線Ｌに対する接続制御を行うＮＣＵ、３０はファクシミリ通信を行うために信号の変調と復調を行うモデム、４０は制御プログラムなどを予め記憶したＲＯＭ、５０は各種データを記憶するためのＲＡＭ、６０はセットされた原稿から画像データを読み取る原稿読取部で、７０は画像液晶ディスプレイなどで構成される表示部、８０は各種キーなどで構成された操作部と、９０はプリンタである。
【００２１】
ここで、制御部１０は、少なくとも所定時間を計時するタイマ計時手段１０ａを備えている。ＦＢＳセンサＳ１が原稿を検知してから、所定時間内に操作キー８０ａを使用して所定のオペレーション動作が実行されないときには、原稿が残留しているとみなして、アラーム（不図示）を出力させる。すなわち原稿台に原稿を載置したにもかかわらず、何等操作がされないということは、原稿を載置したまま、置き去りにされているとみなし、アラームによって、ユーザに知らせるというものである。
【００２２】
従来は原稿を読み取る前に原稿を置き忘れるということは、設計事項とされておらず、また原稿蓋を開けたままコピー動作する場合は、原稿が原稿蓋で隠れてしまうことがないため、置き忘れを検知する必要性に乏しいとされていたが、本発明によれば、上記のような場合においても、原稿の置き忘れは起こりうるとし、検知することができる構成としている。
【００２３】
以上よれば、センサとソフト処理の組み合わせにより、正確に原稿の置き忘れを検知でき、原稿の置き忘れを防止することができる。また、原稿の読み取り前や原稿蓋を開けたままコピー動作した場合にも、原稿の置き忘れを検知することができる。
【００２４】
オペレーション実行後において上記原稿残判別手段は、ＦＢＳセンサＳ１が原稿を検知したときから上記タイマ計時手段１０ａが更に設定した所定時間が経過するまでの間に、ＦＢＳセンサＳ１が原稿なしを検知しない場合に、原稿が残留しているとみなして、アラームを出力させる。すなわち、オペレーション実行後（例えば原稿読取終了後）に、ＦＢＳセンサＳ１が原稿を検知し、所定時間が経過すると、アラームが出力される。
【００２５】
以上よれば、センサとソフト処理の組み合わせにより、正確にオペレーション実行後においても原稿の置き忘れを検知でき、原稿の置き忘れを防止することができる。
【００２６】
原稿読取装置Ｆは、上述のとおり原稿蓋Ａの開閉を検知する原稿蓋開閉検出センサＳ２が設けられており、タイマ計時手段１０ａが所定時間を経過するまでの間に、原稿蓋Ａの開閉があり、ＦＢＳセンサＳ１が原稿検知なしを判別したときには、動作を終了させる構成とする。
【００２７】
すなわち、タイマがタイムアップするまでに原稿蓋Ａの開閉が検出され、原稿なしと検知した場合には、原稿は除去されたものとして、動作を終了させるというものである。
【００２８】
このとき、原稿蓋Ａは、開若しくは閉のいずれかが検出されればよい。すなわち、原稿蓋Ａを閉じていた場合は、開いたことを検知し、原稿蓋Ａを開いていた場合は、閉じたことを検知すればよい。例えば分厚い本等をコピーする場合は、原稿蓋Ａを閉じてコピーすることができない。このような場合においても、上記構成によれば、置き忘れを検知することができ、原稿が除去されたことも検知することができる。
【００２９】
図３は上記の基本動作の一例を示したフローチャート（Ｓ１００〜１０６）である。
【００３０】
原稿台１ａ上で原稿を検知した後（Ｓ１００）、キー操作８０ａ（Ｓ１０２）及び原稿蓋Ａの開閉がなく（Ｓ１０５）、タイマで所定時間が経過すれば（Ｓ１０３）アラームが出力される（Ｓ１０４）。
【００３１】
タイマがタイムアップするまでの間にキー操作があれば、オペレーションを実行し（Ｓ１０６）、その後、原稿台１ａ上の原稿がなければ（Ｓ１００）動作を終了する。
【００３２】
一方原稿があれば（Ｓ１００）、再度、タイマを起動し（Ｓ１０１）、上記監視を行う。
【００３３】
タイマがタイムアップする（Ｓ１０３）までの間に原稿蓋Ａが開閉を検知（Ｓ１０５）し、原稿がなければ（Ｓ１００）動作を終了する。
【００３４】
一方原稿があれば（Ｓ１００）、再度、タイマを起動し（Ｓ１０１）、上記監視を行う。
【００３５】
オペレーションの実行後（Ｓ１０６）、原稿台１ａ上の原稿を検知すれば（Ｓ１００）、タイマを起動して（Ｓ１０１）、上記監視を行い、タイマがタイムアップすると（Ｓ１０３）アラームを出力する（Ｓ１０４）が、原稿台１ａ上に原稿がなければ（Ｓ１００）、動作を終了する。
【００３６】
ここで、報知手段はアラームに限らず、音声メッセージや表示部７０に「原稿を置き忘れています」などのメッセージを表示させる構成としてもよい。
【００３７】
またタイマ計時手段１０ａが計時する所定時間は、可変設定可能としてもよい。
【図面の簡単な説明】
【００３８】
【図１】本発明の原稿読取装置の外観の一例を示す図
【図２】本発明に係る原稿読取装置の基本構成の一例を示すブロック図
【図３】本発明の基本動作を示すフローチャート
【符号の説明】
【００３９】
Ｆ      原稿読取装置
Ａ      原稿蓋
Ｄ      原稿
１      原稿読取部本体
１ａ    原稿台（ＦＢＳ）
Ｓ１    ＦＢＳセンサ
Ｓ２    原稿蓋開閉検出センサ
１０    制御部
１０ａ  タイマ計時手段
２０    ＮＣＵ
３０    モデム
４０    ＲＯＭ
５０    ＲＡＭ
６０    原稿読取部
７０    表示部
８０    操作部
８０ａ  操作キー
９０    プリンタ
【図１】
2005134424.tif 000003
【図２】
2005134424.tif 000004
【図３】
2005134424.tif 000005